(57)【特許請求の範囲】
【請求項１】
クリーム状内容物（Ａ）を収納する壜体状の容器本体（１）の口部（６）に、前記内容物（Ａ）を吸い上げて注出する手動ポンプ（１０）を装着し、前記容器本体（１）内に、前記クリーム状内容物（Ａ）上に載置するリング板状の押え蓋（２０）を昇降変位可能に装着した注出容器であって、前記押え蓋（２０）を、リング板状をした硬質材製の蓋板（２１）と、該蓋板（２１）の内周縁に密に組付いて、前記手動ポンプ（１０）の吸上げパイプ（１３）に緩く外嵌する円筒状の内筒片（２４）の内周面下端に、前記吸上げパイプ（１３）の外周面に対して、中央側を上昇傾斜させた姿勢で弾力的に密摺接して、空気の下方への通過を阻止する内鍔状の一つのシール片（２５）を周設したポリエステル系エラストマー製のシールリング（２２）と、から構成した注出容器。
【発明の詳細な説明】
【０００１】
【発明の属する技術分野】
本発明は、粘度の比較的高いクリーム状の内容物を、手動ポンプを利用して注出する注出容器に関するものである。
【０００２】
【従来の技術】
クリーム状内容物を、手動ポンプを利用して注出するこの種の注出容器の従来技術として、実開昭５８−２１５７５公報記載の技術がある。
【０００３】
この従来技術は、有底筒状の容器本体と、この容器本体の内底に向けて吸上開口をもつ吸上パイプと、この吸上パイプの吸上開口背反端に連結されるポンプ機構とから成る液体吸上機構を備えた容器装置において、吸上パイプに対して摺動可能に挿通され、内容物の吸上にともなって、この内容物の液面に密着して吸上パイプに沿って移動する浮蓋（押え蓋）を設けて構成されている。
【０００４】
押え蓋は、内容物が流動性の悪いクリーム状物であるが故に、その吸い上げに伴って、吸上パイプの吸上開口が位置する下端から内容物の上面に至る空孔が、吸上パイプの周囲に形成され、その結果、この空孔を通過した空気の混入により内容物の円滑な注出が阻害されてしまうことを防止するためのもので、内容物の上面を押えることにより、手動ポンプの内容物吸い上げに伴う負圧の影響を、内容物全体に均一に作用させ、これにより内容物吸い上げに伴う負圧が、内容物の一部に偏って作用することにより形成される空孔の発生を阻止して、内容物の良好な注出動作を維持する。
【０００５】
また、内容物の粘度が大きい場合には、内容物吸い上げに伴う負圧の偏った作用時間が長く、これにより押え蓋自体が変形してしまう恐れがあるので、押え蓋の主体部分を硬質材製とし、吸上パイプに密接する部分（内周端縁部分）を軟質弾性材製とすることにより、負圧により変形することなく、吸上パイプに対する密接摺動可能な組付きを維持できるようにしている。
【０００６】
【発明が解決しようとする課題】
しかしながら、上記した従来技術にあっては、押え蓋の内周端縁部分の弾性変形程度を抑えて、この内周端縁部分のシール機能を確保するために、押え蓋の主体部分の内周端縁をできる限り吸上パイプに近接して位置させるようにしているが、この吸上パイプに近接して位置している主体部分の内周端縁が、押え蓋のわずかの傾斜変位または横変位により、吸上パイプの外周面の圧接し、この圧接がカジリ状となって、押え蓋の吸上パイプに沿った下降変位が不良もしくは不能となる、と云う問題があった。
【０００７】
そこで、本発明は、上記した従来技術における問題点を解消すべく創案されたもので、容器本体内にクリーム状内容物の押え蓋を設けた注出容器において、内容物の注出に伴った押え蓋の速やかで正確な下降変位を、空孔を形成することなく得ることを技術的課題とし、もって粘度の大きいクリーム状内容物を最後まで円滑にかつ確実に注出できるようにすることを目的とする。
【０００８】
【課題を解決するための手段】
上記技術的課題を解決する本発明の手段は、
クリーム状内容物を収納する壜体状の容器本体の口部に、内容物を吸い上げて注出する手動ポンプを装着し、容器本体内に、クリーム状内容物上に載置するリング板状の押え蓋を昇降変位可能に装着した注出容器であること、
押え蓋を、リング板状をした硬質材製の蓋板と、この蓋板の内周縁に密に組付いて、手動ポンプの吸上げパイプに緩く外嵌する円筒状の内筒片の内周面下端に、吸上げパイプの外周面に対して、中央側を上昇傾斜させた姿勢で弾力的に密摺接して、空気の下方への通過を阻止する内鍔状の一つのシール片を周設したポリエステル系エラストマー製のシールリングと、から構成すること、
にある。
【０００９】
手動ポンプの操作による内容物の注出に伴い、手動ポンプの吸上げパイプの下端開口部付近に負圧が発生し、この負圧は、内容物の上面の内、最も近い内容物上面部分、すなわち吸上げパイプに近い内容物上面部分に向かって最も強く作用する。
【００１０】
このように、吸上げパイプの下端開口部付近に発生した負圧は、内容物の上面に不均一に作用するが、押え蓋の主体部分で、内容物の上面の略全域を覆っている蓋板が、不均一に作用する負圧を変形することなく受け止めて、内容物の上面全域を略均一に押圧することになるので、押え蓋は、内容物の注出に従って、円滑に下降変位する。
【００１１】
押え蓋が下降変位する際に、負圧の不均一な作用により押え蓋が傾くことがあるが、手動ポンプの吸上げパイプに対向する押え蓋部分は、ポリエステル系エラストマー製のシールリングだけであるので、例え傾いても押え蓋が吸上げパイプに弾性的に押圧されるだけで、カジリ状に引っ掛かることはなく、押え蓋は円滑にかつ確実に下降変位することになる。
【００１２】
押え蓋のシールリングは、手動ポンプの吸上げパイプに緩く外嵌する内筒片にシール片を、吸上げパイプに対して中央側を上昇傾斜させた姿勢で弾力的に密摺接させて内鍔状に突周設した構成であるので、シール片は、作用する負圧による弾性変形（下方への弾性変形）がし難いものとなり、これにより負圧が作用している状態でも、シール片は、吸上げパイプに対する気密弾接を安定して保持するので、空孔は形成されない。
【００１３】
【発明の実施の形態】
以下、本発明の一実施例を、図面を参照しながら説明する。
容器本体１は、胴部２と底部３とから成る主体部１ａと、この胴部２の上端部外周に螺合する組付き筒４と肩部５と口部６とから成るヘッド部１ｂとから構成されている。
【００１４】
ヘッド部１ｂの口部６には、この口部６外周に螺合する装着筒７を介して、公知構造の縦型手動ポンプ１０が装着されており、ポンプ１０上端の押下げヘッド１１を上下動させることにより、下端に連結した吸上げパイプ１３を介してクリーム状内容物Ａを吸い上げ、押下げヘッド１１の注出ノズル１２から注出するようになっている。
【００１５】
押え蓋２０は、硬質の合成樹脂等から成るリング板状の蓋板２１と、この蓋板２１の内周縁に組付けられるポリエステル系エラストマー製のシールリング２２とから構成されている。
【００１６】
シールリング２２は、底板２３の上面内周縁に円筒状の内筒片２４を立設すると共に、この内筒片２４の内周面下端に、吸上げパイプ１３の外周面に密摺接して空気の通過を阻止する内鍔状のシール片２５を突周設して構成されている。
【００１７】
内筒片２４の外周面下部には係止突条２６を周設し、底板２３とこの係止突条２６との間に蓋板２１の内周縁部を係止させて、蓋板２１とシールリング２２との組付け固定を達成する。
【００１８】
シールリング２２のシール片２５は、弾性変形して吸上げパイプ１３に密摺接するが、このシール片２５の吸上げパイプ１３に対する組付き姿勢は、中央側を上昇傾斜させたものとなるので、負圧が作用した際に、吸上げパイプ１３に対するシール片２５の圧接を強めることになり、これにより吸上げパイプ１３とシール片２５との間のシールが確保されて、負圧による空孔の発生を確実に防止することになる。
【００１９】
なお、中央側を上昇傾斜させたシール片２５の吸上げパイプ１３に対する組付き姿勢は、吸上げパイプ１３に組付いた押え蓋２０が下降変位することにより必然的に得られるものである。
【００２０】
【発明の効果】
本発明は、上記した構成となっているので、以下に示す効果を奏する。
押え蓋は、その主体部分である蓋板が硬質材で形成されているので、内容物の吸い上げに伴って発生する負圧の作用によって変形する恐れは全く無く、これにより作用した負圧により内容物の上面全域を均等に押圧し、もって内容物の消費に従った下降変位を、略水平姿勢を保持しながら安定して円滑に達成する。
【００２１】
吸上げパイプに対する押え蓋の対向部分が、この吸上げパイプに緩く外嵌するポリエステル系エラストマー製のシールリングの内筒片であるので、押え蓋が傾く等して吸上げパイプに内筒片が押圧されても、この内筒片がカジリ状に吸上げパイプに引っ掛かることがなく、これにより常に安定して確実な押え蓋の下降変位動作を得ることができる。
【００２２】
押え蓋と吸上げパイプとの間のシールを達成保持するシール片を、吸上げパイプに対する押え蓋の下降変位動作に支障を生じさせることなく、突出高さの充分に小さい構造とすることができ、これにより作用する負圧に対して、シール作用を安定して保持することができる。
【図面の簡単な説明】
【図１】本発明の一実施例を示す、要部を破断した全体側面図。
【符号の説明】
１  ；  容器本体
１ａ；  主体部
１ｂ；  ヘッド部
２  ；  胴部
３  ；  底部
４  ；  組付き筒
５  ；  肩部
６  ；  口部
７  ；  装着筒
１０  ；  手動ポンプ
１１  ；  押下げヘッド
１２  ；  注出ノズル
１３  ；  吸上げパイプ
２０  ；  押え蓋
２１  ；  蓋板
２２  ；  シールリング
２３  ；  底板
２４  ；  内筒片
２５  ；  シール片
２６  ；  係止突条
Ａ  ；  クリーム状内容物
【図１】
0004165624.tif 000002